(57)【要約】【課題】簡易な構成で、電気コネクタの低背化を容易に行うことを可能とする。【解決手段】平板状信号伝送媒体ＰＳの端末部分を押圧してコンタクト部材１３側に接触させるシェル押え部材１２ｃの一部にコンタクト部材１３の接点部１３ｅを収容可能とする凹部１２ｄを設けるとともに、シェル押え部材１２ｃの他の部位に平板状信号伝送媒体ＰＳの端末部分に当接する押圧部１２ｅを設け、平板状信号伝送媒体ＰＳが挿入されていない状態でコンタクト部材１３の接点部１３ｄをシェル押え部材１２ｃの凹部１２ｄに収容し、そのコンタクト部材１３の接点部１３ｅを収容した分だけ電気コネクタの高さを減じるようにしたものである。【選択図】図１
2018073758.tif 000002
【特許請求の範囲】
【請求項１】
絶縁性部材からなる絶縁ハウジングに装着された導電性部材からなるシェル部材と、前記絶縁ハウジングに多極状に配列された複数のコンタクト部材との間に、平板状信号伝送媒体の端末部分が挿入されるものであって、
前記平板状信号伝送媒体の端末部分の一方側の表面に対して、前記シェル部材に設けられたシェル押え部材が押圧状態で接触し、そのシェル押え部材の押圧力によって、前記平板状信号伝送媒体の端末部分の他方側の表面が、前記コンタクト部材に設けられた接点部に接触状態になされて電気的な接続が行われる構成になされた電気コネクタにおいて、
前記シェル押え部材の一部であって、前記コンタクト部材の接点部に対して前記平板状信号伝送媒体の厚さ方向に対向する領域に、前記平板状信号伝送媒体が挿入されていない状態において前記コンタクト部材の接点部を収容可能とする凹部が設けられているとともに、
前記シェル押え部材における前記凹部を除く他の部位に、前記平板状信号伝送媒体の端末部分に当接する押圧部が設けられていることを特徴とする電気コネクタ。
【請求項２】
前記シェル押え部材の凹部は、前記シェル押え部材を貫通する穴部又は切欠き部、或いは前記シェル押え部材の表面に設けられた窪み部からなることを特徴とする請求項１記載の電気コネクタ。
【請求項３】
前記シェル押え部材の押圧部は、前記凹部に対して、前記コンタクト部材の配列方向、又はそれに直交する方向に隣り合った位置に設けられていることを特徴とする請求項１記載の電気コネクタ。
【請求項４】
回路基板に実装された状態で使用されるものであって、
前記シェル部材には、前記回路基板に接合される基板接続部が設けられていることを特徴とする請求項１記載の電気コネクタ。
【請求項５】
前記平板状信号伝送媒体が前記コンタクト部材の接点部に接触した状態において、前記コンタクト部材の他の部分が、前記回路基板の表面に当接していることを特徴とする請求項４記載の電気コネクタ。
【請求項６】
前記シェル押え部材及びコンタクト部材の少なくとも一方が、弾性変位可能な部材から構成されていることを特徴とする請求項１記載の電気コネクタ。
【発明の詳細な説明】
【技術分野】
【０００１】
本発明は、内部に挿入した平板状の信号伝送媒体の端末部分を、シェル部材の一部によってコンタクト部材に接触状態とすることで電気的な接続を行うようにした電気コネクタに関する。
【背景技術】
【０００２】
一般に、種々の電気・電子機器等において、フレキシブル・プリンテッド・サーキット（ＦＰＣ）や、フレキシブル・フラット・ケーブル（ＦＦＣ）等の細長板状の各種平板状の信号伝送媒体（以降、平板状信号伝送媒体という）の端末部分を、配線回路基板の主面上に実装された電気コネクタ（例えばリセプタクルコネクタ）に差し込んで嵌合状態とすることで電気的な接続を行うことが広く行われている。より具体的には、この種の電気コネクタでは、絶縁性部材からなるハウジングに複数のコンタクト部材が多極状に配列されているとともに、それらのコンタクト部材と、当該コンタクト部材に対面するように配置されたシェル部材との間に平板状信号伝送媒体の端末部分が挿入される構成になされている。そして、平板状信号伝送媒体の端末部分が、電気コネクタの内部に挿入されると、その平板状信号伝送媒体の一方側の表面（上側表面）に対して、上述したシェル部材に設けられたシェル押え部材が押圧状態で接触し、そのシェル押え部材の押圧力によって平板状信号伝送媒体の端末部分の他方側の表面（下側表面）が、コンタクト部材の接点部に対して上方から接触状態になされ、それによって電気的な接続が行われるようになっている。
【０００３】
しかしながら、このような構成を備えた従来の電気コネクタにおいては、シェル押え部材が平板状信号伝送媒体を押圧するにあたっての押さえ代（高さ）が必要となることから、その押さえ代分だけ、平板状信号伝送媒体の厚さ方向における電気コネクタの高さが増大する傾向がある。従って、電気コネクタの低背化が難しいという問題がある。
【０００４】
また、たとえ低背化を行った場合においても、低背化した分だけシェル押え部材の弾性量または撓み量が減少してしまい、平板状信号伝送媒体に対する押圧力が弱まってコンタクト部材に平板状信号伝送媒体が十分に押し付けられない傾向となることから、コンタクト部材の接点部における電気的な接触圧力の確保が難しくなるおそれがある。さらに、平板状信号伝送媒体の位置ズレに対するコンタクト部材の接点部の追従性が低下する傾向を生じて、電気的な接続信頼性に問題を生じることに加え、低背化のためにハウジングを薄肉化した場合にあっては、電気コネクタの強度が問題になるおそれもある。
【先行技術文献】
【特許文献】
【０００５】
【特許文献１】特開２０１３−２３９２９４号公報
【発明の開示】
【発明が解決しようとする課題】
【０００６】
そこで本発明は、簡易な構成で、低背化を容易に行うことができるとともに、コンタクト部材に対する平板状信号伝送媒体の電気的な接続性を良好に維持することができるようにした電気コネクタを提供することを目的とする。
【課題を解決するための手段】
【０００７】
上記目的を達成するため、請求項１記載の発明にかかる電気コネクタにおいては、絶縁性部材からなる絶縁ハウジングに装着された導電性部材からなるシェル部材と、前記絶縁ハウジングに多極状に配列された複数のコンタクト部材との間に、平板状信号伝送媒体の端末部分が挿入されるものであって、前記平板状信号伝送媒体の端末部分の一方側の表面に対して、前記シェル部材に設けられたシェル押え部材が押圧状態で接触し、そのシェル押え部材の押圧力によって、前記平板状信号伝送媒体の端末部分の他方側の表面が、前記コンタクト部材に設けられた接点部に接触状態になされて電気的な接続が行われる構成になされた電気コネクタにおいて、前記シェル押え部材の一部であって、前記コンタクト部材の接点部に対して前記平板状信号伝送媒体の厚さ方向に対向する領域に、前記平板状信号伝送媒体が挿入されていない状態において前記コンタクト部材の接点部を収容可能とする凹部が設けられているとともに、前記シェル押え部材における前記凹部を除く他の部位に、前記平板状信号伝送媒体の端末部分に当接する押圧部が設けられた構成が採用されている。
【０００８】
このような構成を有する請求項１記載の電気コネクタによれば、平板状信号伝送媒体が挿入されていない初期状態において、コンタクト部材の接点部がシェル押え部材の凹部に収容された状態になされ、その収容分だけ電気コネクタの高さが減じられることから低背化が可能となる。また、電気コネクタの低背化を行った場合においても、シェル押え部材のスパン長が十分に維持されることから、当該シェル押え部材の弾性量または撓み量が減少することなく確保されることとなり、平板状信号伝送媒体がコンタクト部材の接点部に対して必要な押圧力で押し付けられ、コンタクト部材の接点部における電気的な接触圧力の良好に確保される。さらに、シェル押え部材の弾性量または撓み量が十分に確保されることから、平板状信号伝送媒体の位置ズレに対するコンタクト部材の接点部の追従性が良好に維持され、電気的な接続信頼性が高められることに加え、低背化のためにハウジングの薄肉化を回避することが可能となることから、電気コネクタの強度が良好に維持される。
【０００９】
また、請求項２記載の電気コネクタにおける前記シェル押え部材の凹部は、前記シェル押え部材を貫通する穴部又は切欠き部、或いは前記シェル押え部材の表面に設けられた窪み部からなることが可能である。
【００１０】
また、請求項３記載の電気コネクタにおける前記シェル押え部材の押圧部は、前記凹部に対して、前記コンタクト部材の配列方向、又はそれに直交する方向に隣り合った位置に設けられていることが可能である。
【００１１】
さらに、請求項４記載の電気コネクタにおいては、回路基板に実装された状態で使用されるものであって、前記シェル部材には、前記回路基板に接合される基板接続部が設けられていることが可能である。
【００１２】
さらにまた、請求項５記載の電気コネクタにおいては、前記平板状信号伝送媒体が前記コンタクト部材の接点部に接触した状態において、前記コンタクト部材の他の部分が、前記回路基板の表面に当接していることが望ましい。
【００１３】
このような構成を有する請求項５記載の電気コネクタによれば、コンタクト部材が回路基板に支持された状態になされることから、その回路基板に支持されたコンタクト部材が、平板状信号伝送媒体に対して良好な接触状態になされる。
【００１４】
また、請求項６記載の電気コネクタにおいては、前記シェル押え部材及びコンタクト部材の少なくとも一方が、弾性変位可能な部材から構成されていることが望ましい。
【００１５】
このような構成を有する請求項６記載の電気コネクタによれば、シェル押え部材とコンタクト部材との間に挿入された平板状信号伝送媒体が、シェル押え部及びコンタクト部材の一方又は双方の弾性力によって良好な電気的接続状態になされる。
【発明の効果】
【００１６】
上述したように本発明は、平板状信号伝送媒体の端末部分を押圧してコンタクト部材側に接触させるシェル押え部材の一部に、コンタクト部材の接点部を収容可能とする凹部を設けるとともに、シェル押え部材の他の部位に平板状信号伝送媒体の端末部分に当接する押圧部を設け、平板状信号伝送媒体が挿入されていない状態においてコンタクト部材の接点部をシェル押え部材の凹部に収容し、そのコンタクト部材の接点部を収容した分だけ電気コネクタの高さを減じるとともに、シェル押え部材の弾性量または撓み量を十分に確保するように構成したものであるから、簡易な構成で、電気コネクタの低背化を容易に行うことができるとともに、コンタクト部材の接点部に対する平板状信号伝送媒体の電気的な接続性を良好に維持することができる。
【図面の簡単な説明】
【００１７】
【図１】本発明の第１の実施形態にかかるリセプタクルコネクタを、前方側の斜め上方から表した外観斜視説明図である。
【図２】図１に示されたリセプタクルコネクタを、後方側の斜め上方から表した外観斜視説明図である。
【図３】図１及び図２に示したリセプタクルコネクタを表した平面説明図である。
【図４】図１〜図３に示したリセプタクルコネクタを表した正面説明図である。
【図５】図１〜図４に示したリセプタクルコネクタを表した側面説明図である。
【図６】図１〜図５に示したリセプタクルコネクタを表した底面説明図である。
【図７】図４中の VII − VII 線に沿った横断面説明図である。
【図８】図１〜図７に示したリセプタクルコネクタに使用されている絶縁ハウジングの単体を表した外観斜視説明図である。
【図９】図８に示した絶縁ハウジングの平面説明図である。
【図１０】図１〜図７に示したリセプタクルコネクタに使用されている導電コンタクト部材の単体を表した外観斜視説明図である。
【図１１】図１０に示した導電コンタクト部材の側面説明図である。
【図１２】図１０及び図１１に示した導電コンタクト部材の平面説明図である。
【図１３】図１〜図７に示したリセプタクルコネクタに使用されているシェル体の単体を表した外観斜視説明図である。
【図１４】図１３に示したシェル体の平面説明図である。
【図１５】図１３及び図１４に示したシェル体の正面説明図である。
【図１６】図１３〜図１５に示したシェル体の側面説明図である。
【図１７】図１〜図７に示したリセプタクルコネクタに挿入される平板状信号伝送媒体（ＦＰＣ，ＦＦＣ等）の一例を上方側から表した外観斜視説明図である。
【図１８】図１７に示した平板状信号伝送媒体（ＦＰＣ，ＦＦＣ等）を下方側から表した外観斜視説明図である。
【図１９】図１〜図７に示したリセプタクルコネクタに対して、図１７及び図１８に示した平板状信号伝送媒体（ＦＰＣ，ＦＦＣ等）を対向配置した状態を表した外観斜視説明図である。
【図２０】図１９の対向状態から平板状信号伝送媒体（ＦＰＣ，ＦＦＣ）を挿入して嵌合させた状態を表した外観斜視説明図である。
【図２１】図２０の嵌合状態にあるリセプタクルコネクタを表した正面説明図である。
【図２２】図２１中の XXII − XXII 線に沿った横断面説明図である。
【図２３】本発明の第２の実施形態にかかるリセプタクルコネクタを、前方側の斜め上方から表した外観斜視説明図である。
【図２４】図２３に示した第２の実施形態にかかるリセプタクルコネクタの図７に相当する横断面説明図である。
【図２５】本発明の第３の実施形態にかかるリセプタクルコネクタを、前方側の斜め上方から表した外観斜視説明図である。
【図２６】図２５に示した第３の実施形態にかかるリセプタクルコネクタの図７に相当する横断面説明図である。
【発明を実施するための形態】
【００１８】
以下、本発明の実施の形態を図面に基づいて詳細に説明する。
【００１９】
［リセプタクルコネクタの全体構成について］
図１〜図１６に示された本発明の一実施形態にかかるリセプタクルコネクタ１０は、図示を省略した印刷配線回路基板の主面上に形成された配線パターンに半田接続により実装状態で使用されるものであって、図１７及び図１８に示されているようなフレキシブル・プリンテッド・サーキット（ＦＰＣ）や、フレキシブル・フラット・ケーブル（ＦＦＣ）等からなる平板状信号伝送媒体ＰＳの端末部分が、図１９〜図２２のように略水平方向に差し込まれて嵌合状態になされ、それによって平板状信号伝送媒体（ＦＰＣ，ＦＦＣ等）ＰＳが、印刷配線回路基板に対して電気的に接続されるようになっている。
【００２０】
以下において、リセプタクルコネクタ１０が実装される印刷配線回路基板の主面の延在方向を「水平方向」とし、その印刷配線回路基板の表面に垂直な方向を「コネクタ高さ方向」とする。このときのリセプタクルコネクタ１０には、後述するように平板状信号伝送媒体（ＦＰＣ，ＦＦＣ等）ＰＳの端末部分が差し込まれる細長状の開口部が設けられているが、その細長状の開口部の延在方向を「コネクタ長手方向」とする。また、当該細長状の開口部が設けられている側の端部分を「前端部分」、板状信号伝送媒体ＰＳが差し込まれていく奥側の端部分を「後端部分」とし、リセプタクルコネクタ１０に対して板状信号伝送媒体ＰＳを差し込む方向が、リセプタクルコネクタ１０の「前方側」から「後方側」に向かう方向となり、それら「前方側」又は「後方側」に向かう方向を「コネクタ前後方向」とする。
【００２１】
［平板状信号伝送媒体について］
なお、リセプタクルコネクタ１０の内部に挿入された平板状信号伝送媒体（ＦＰＣ，ＦＦＣ）ＰＳは、上述した「コネクタ長手方向」を「板幅方向」とした状態で嵌合されるが、当該平板状信号伝送媒体ＰＳには、その「板幅方向」に沿って、複数本の信号線及びグランド線（シールド線）が多極状をなすように配列されている。それらの信号線及びグランド線は、可撓性を有する絶縁被覆材の内部に配列されているが、本実施形態における絶縁性の被覆部材（以降、絶縁被覆部材）としては、信号線及びグランド線上に下層を構成するように貼着された絶縁性カバーフィルムが用いられており、その絶縁性カバーフィルム上からはシールドテープが上層を構成するように積層された構造になされている。
【００２２】
上述した平板状信号伝送媒体（ＦＰＣ，ＦＦＣ等）ＰＳの端末部分における「板幅方向」の略中央部分には、当該平板状信号伝送媒体ＰＳの差し込み方向の先端縁から、当該平板状信号伝送媒体ＰＳの差し込み方向に沿って細長の溝状に切り込まれた切欠き部ＰＳ１が形成されている。そして、リセプタクルコネクタ１０の内部に平板状信号伝送媒体ＰＳが挿入された際に、当該平板状信号伝送媒体ＰＳの切欠き部ＰＳ１の内部に、後述するリセプタクルコネクタ１０の基板接続脚部１２ｂが収容され、それによって「板幅方向」の位置決めが行われるようになっている。また、この平板状信号伝送媒体ＰＳの端末部分における「板幅方向」の両側端縁部分には、「板幅方向」の外方側に向かって張り出す一対の突出部ＰＳ２，ＰＳ２が設けられており、リセプタクルコネクタ１０に平板状信号伝送媒体ＰＳが挿入された際に、それらの突出部ＰＳ２，ＰＳ２がリセプタクルコネクタ１０の一部に当接して、「前後方向」の位置決めが行われるようになっている。
【００２３】
［絶縁ハウジングについて］
一方、リセプタクルコネクタ１０は、特に図８及び図９に示されているような合成樹脂等の絶縁材料によって形成された絶縁ハウジング１１を有している。この絶縁ハウジング１１は、「コネクタ長手方向」に細長状に延在する板状部材から形成されており、印刷配線回路基板の主面上にリセプタクルコネクタ１０が実装された際に、当該絶縁ハウジング１１の底面が、印刷配線回路基板の主面に対して上方から接触した状態に配置されるようになっている。
【００２４】
［シェル体について］
このような絶縁ハウジング１１には、特に図１３〜図１６に示されているような薄厚の板状をなす金属製の導電性部材からなるシェル部材としてのシェル体１２が、絶縁ハウジング１１の上方側の外表面を覆うように配置されている。このシェル体１２の「コネクタ長手方向」の両端部分には、爪状をなす固定片１２ａ，１２ａが下方側に折り曲げられた状態に設けられており、それらの固定片１２ａ，１２ａが、絶縁ハウジング１１の「コネクタ長手方向」の両端部分に設けられた固定受け部１１ａ，１１ａに対して上方側から圧入されることによって、シェル体１２の全体が絶縁ハウジング１１に固定状態になされている。
【００２５】
このようなシェル体１２と絶縁ハウジング１１との間には、図1に示すように、前述した平板状信号伝送媒体（ＦＰＣ，ＦＦＣ等）ＰＳが差し込まれる媒体挿入空間が形成されている。すなわち、このシェル体１２の前端側の端縁部と、その下方に配置された絶縁ハウジング１１の表面との間には、「コネクタ長手方向」に沿って細長状に延在する挿入開口部１０ａが形成されており、その挿入開口部１０ａを通して、平板状信号伝送媒体ＰＳの端末部分が、リセプタクルコネクタ１０の内部の媒体挿入空間に挿入され、或いは媒体挿入空間から抜去されるようになっている。
【００２６】
また、上述したシェル体１２の外周側部分には、図２に示すように複数体の基板接続脚部１２ｂ，１２ｂ，・・・が、絶縁ハウジング１１の外周端縁から外方に突出するように設けられている。それらの各基板接続脚部１２ｂは、絶縁ハウジング１１の上面位置から下方に向かって階段状をなすようにして突出しており、それらの各基板接続脚部１２ｂの突出側部分に形成された平板状部が、印刷配線回路基板（図示省略）上に形成された接地（シールド）用の印刷配線パターン（導電路）に半田接合されて電気的に接続され、そのシェル体１２のシールド作用によって、外部からの電磁波ノイズの遮断等が行われる構成になされている。
【００２７】
［コンタクト部材について］
さらに、上述した絶縁ハウジング１１には、互いに略同一形状を有する複数体の導電コンタクト部材１３，１３，・・・が、「コネクタ長手方向」に沿って適宜のピッチ間隔で多極状をなすように配列されている。それらの各導電コンタクト部材１３は、薄厚の板状金属材をプレス加工することにより形成されており、各々の導電コンタクト部材１３が、「コネクタ前後方向」に延在するように配置されている。
【００２８】
このような各導電コンタクト部材１３における後端側部分（図７及び図１１の右方側部分）に設けられた固定基部１３ａには、略水平に開放溝状をなして延在する圧入取付け溝１３ｂが、前方側から後方側に向かって切り欠かれるようにして形成されている。そして、そのような各導電コンタクト部材１３の圧入取付け溝１３ｂが、絶縁ハウジング１１の後端部分（図７の右端部分）に対して、前方側（図７の左方側）に向かって圧入されることで各導電コンタクト部材１３の固定が行われている。
【００２９】
また、上述した各導電コンタクト部材１３の固定基部１３ａからは、後方側（図７及び図１１の右方側）に向かって基板接続脚部１３ｃが、下方へ向かう階段状をなすように突出している。その基板接続脚部１３ｃは、図示を省略した印刷配線回路基板上に形成された信号伝送用の印刷配線パターン（導電路）上に半田接合されることによって電気的に接続されるが、このときの半田接合は、配列方向の全てのものに対して一括して行われる。
【００３０】
さらに、上述した各導電コンタクト部材１３の固定基部１３ａから前方側（図７及び図１１の左方側）に向かって、弾性変位可能なビーム状部材からなる弾性ビーム１３ｄが片持ち状をなすように延出している。この弾性ビーム１３ｄの下端縁は、上述した絶縁ハウジング１１の底面から露出した状態に配置されており、リセプタクルコネクタ１０の実装時に印刷配線回路基板（図示省略）の主面上に接触した状態に配置されるようになっている。
【００３１】
このような弾性ビーム１３ｄの前端部分（図７及び図１１の左端部分）には、上方に向かって突出する凸状部分からなる接点部１３ｅが設けられている。その導電コンタクト部材１３の接点部１３ｅは、リセプタクルコネクタ１０の内部に平板状信号伝送媒体（ＦＰＣ，ＦＦＣ等）ＰＳが挿入された際に、当該平板状信号伝送媒体ＰＳの下面側に形成されている信号伝送用の印刷配線パターン（導電路）に対して下方側から弾性的に接触される配置関係になされており、平板状信号伝送媒体ＰＳから、各導電コンタクト部材１３の接点部１３ｅ及び上述した基板接続脚部１３ｃを介して、印刷配線回路基板に至る信号伝送回路が形成されるようになっている。
【００３２】
また、前述したようにリセプタクルコネクタ１０の内部に挿入された平板状信号伝送媒体（ＦＰＣ，ＦＦＣ等）ＰＳが、各導電コンタクト部材１３の接点部１３ｅに当接した状態にあっては、各導電コンタクト部材１３の弾性ビーム１３ｄの下端縁が、略図示を省略した印刷配線回路基板に対して圧接した状態になされる。その結果、導電コンタクト部材１３が印刷配線回路基板に支持された状態になされ、当該印刷配線回路基板に支持された導電コンタクト部材１３が、平板状信号伝送媒体ＰＳに対して良好な接触状態に維持されるようになっている。
【００３３】
［シェル押え部材について］
前述したようにシェル体１２は、平板状信号伝送媒体（ＦＰＣ，ＦＦＣ等）ＰＳが差し込まれる媒体挿入空間の上側の壁面を構成するように配置されているが、その媒体挿入空間の上部側に配置されたシェル体１２の一部には、弾性変位可能な舌片状部分からなる一対のシェル押え部材１２ｃ，１２ｃが、「コネクタ長手方向」に並列した状態で設けられている。これらの各シェル押え部材１２ｃは、シェル体１２の上壁部分の一部を平面略矩形状の片持ち状部材をなすように切欠き形成されたものであって、前述した挿入開口部１０ａの近傍位置から後方側（図７の右方側）に向かって、斜め下方に傾斜するように延出している。
【００３４】
これらの各シェル押え部材１２ｃは、平板状信号伝送媒体（ＦＰＣ，ＦＦＣ等）ＰＳの端末部分が媒体挿入空間の内部に挿入された際に、当該平板状信号伝送媒体ＰＳの一方側（上方側）の表面に対して上方側から接触する配置関係になされている。すなわち、前述したような舌片状部分からなる各シェル押え部材１２ｃの後方側（図７の右方側）延出側部分は、平板状信号伝送媒体ＰＳの端末部分の上面に対して押圧状態で弾性的に接触する配置関係になされており、当該シェル押え部材１２ｃからの下方向への弾性的な付勢力によって、平板状信号伝送媒体ＰＳの下面が、その下方側に配置されている導電コンタクト部材１３に向かって押し付けられる構成になされている。その結果、前述した平板状信号伝送媒体ＰＳの下面側に形成されている信号伝送用の印刷配線パターン（導電路）が、各導電コンタクト部材１３の接点部１３ｅに対して上方側から接触され、それによって電気的な接続が行われる構成になされている。
【００３５】
一方、上述したようなシェル押え部材１２ｃにおける一部の領域、より具体的には、導電コンタクト部材１３の接点部１３ｅに対して平板状信号伝送媒体（ＦＰＣ，ＦＦＣ等）ＰＳの厚さ方向の上方側から対向している領域には、導電コンタクト部材１３の接点部１３ｅを、平板状信号伝送媒体（FPC、FFC等）が挿入されていない初期状態において、収容可能とする複数体の凹部１２ｄ，１２ｄ，・・・が設けられている。これらの各凹部１２ｄは、舌片状部材からなるシェル押え部材１２ｃを上下方向に貫通する穴から形成されており、平面視において前後方向に長径を有する細長穴形状を有している。
【００３６】
このように複数体の凹部１２ｄ，１２ｄ，・・・の各々は、導電コンタクト部材１３に対向した位置に設けられており、それら複数体の凹部１２ｄ，１２ｄ，・・・は、導電コンタクト部材１３と同様に「コネクタ長手方向」に沿って所定の間隔をなして並列した状態に配置されている。そして、リセプタクルコネクタ１０の内部に平板状信号伝送媒体（ＦＰＣ，ＦＦＣ等）ＰＳが挿入されていない初期状態においては、シェル押え部材１２ｃ側の各凹部１２ｄの内部に、前述した導電コンタクト部材１３の接点部１３ｅの各々が収容される構成になされている。そして、そのように導電コンタクト部材１３の接点部１３ｅが凹部１２ｄに収容されている分だけ、リセプタクルコネクタ１０のコネクタ高さが低減される構成になされている。
【００３７】
ここで、上述したようにシェル押え部材１２ｃの凹部１２ｄは、平板状信号伝送媒体（ＦＰＣ，ＦＦＣ等）ＰＳの厚さ方向（上下方向）において、導電コンタクト部材１３の接点部１３ｅの上方に対向する領域に配置されているが、そのシェル押え部材１２ｃの下面における凹部１２ｄを除いた他の部位には、図１３に示すように、平板状信号伝送媒体ＰＳの上面に当接する押圧部１２ｅが形成されている。この押圧部１２ｅは、上述した凹部１２ｄに対して「コネクタ長手方向」及び「前後方向」に隣り合う領域に設けられており、このシェル押え部材１２ｃに設けられた押圧部１２ｅによって、平板状信号伝送媒体ＰＳの端末部分のうち、導電コンタクト部材１３の接点部１３ｅの上方位置を除く部位が下方に向かって押圧される構成になされている。
【００３８】
このような構成を備えた本発明にかかる実施形態によれば、リセプタクルコネクタ１０に対して平板状信号伝送媒体（ＦＰＣ，ＦＦＣ等）ＰＳが挿入されていない初期状態において、導電コンタクト部材１３の接点部１３ｅがシェル押え部材１２ｃの凹部１２ｄに収容された状態になされることから、その収容分だけリセプタクルコネクタ１０の高さが減じられ、低背化が可能となる。
【００３９】
また、リセプタクルコネクタ１０の低背化を行った場合においても、シェル押え部材１２ｃのスパン長が十分に維持されることから、当該シェル押え部材１２ｃの弾性量または撓み量が減少することなく確保されることとなり、平板状信号伝送媒体（ＦＰＣ，ＦＦＣ等）ＰＳがコンタクト部材１３の接点部１３ｅに対して必要な押圧力で押し付けられ、コンタクト部材１３の接点部１３ｅにおける電気的な接触圧力が良好に確保される。さらに、シェル押え部材１２ｃの弾性量または撓み量が十分に確保されることから、平板状信号伝送媒体ＰＳの位置ズレに対するコンタクト部材１３の接点部１３ｅの追従性が良好に維持され、電気的な接続信頼性が高められることに加え、低背化のために絶縁ハウジング１１の薄肉化を回避することが可能となることから、電気コネクタの強度が良好に維持される。
【００４０】
一方、上述した実施形態と同一の部材に対して同一の符号を付した図２３及び図２４にかかる第２の実施形態では、シェル押え部材１２ｃに設けられた凹部１２ｄ’が、コネクタ後方側に向かって開放状態になされた切欠き部から形成されている。また、図２５及び図２６にかかる第３の実施形態においては、シェル押え部材１２ｃに設けられた凹部１２ｄ”が、シェル押え部材１２ｃの下面側に凹設された窪み部から形成されている。このような他の実施形態においても、上述した実施形態とほぼ同様な作用・効果が得られる。
【００４１】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００４２】
例えば、上述した各実施形態においては、シェル押え部材１２ｃと導電コンタクト部材１３との間に挿入された平板状信号伝送媒体（ＦＰＣ，ＦＦＣ等）ＰＳが、シェル押え部１２ｄの弾性力によって電気的な接続状態になされているが、導電コンタクト部材１３の弾性力又は双方の弾性力によって電気的な接続状態とすることもできる。
【産業上の利用可能性】
【００４３】
以上のように本実施形態は、各種電気機器に使用される多種多様な電気コネクタに対して広く適用することが可能である
【符号の説明】
【００４４】
１０  リセプタクルコネクタ
１０ａ  挿入開口部
１１  絶縁ハウジング
１１ａ  固定受け部
１２  シェル体
１２ａ  固定片
１２ｂ  基板接続脚部
１２ｃ  シェル押え部材
１２ｄ  凹部
１２ｅ  押圧部
１３  導電コンタクト部材
１３ａ  固定基部
１３ｂ  圧入取付け溝
１３ｃ  基板接続脚部
１３ｄ  弾性ビーム
１３ｅ  接点部
ＰＳ  板状信号伝送媒体（ＦＰＣ，ＦＦＣ等）
ＰＳ１  切欠き部
ＰＳ２  突出部
【図１】
2018073758.tif 000003
【図２】
2018073758.tif 000004
【図３】
2018073758.tif 000005
【図４】
2018073758.tif 000006
【図５】
2018073758.tif 000007
【図６】
2018073758.tif 000008
【図７】
2018073758.tif 000009
【図８】
2018073758.tif 000010
【図９】
2018073758.tif 000011
【図１０】
2018073758.tif 000012
【図１１】
2018073758.tif 000013
【図１２】
2018073758.tif 000014
【図１３】
2018073758.tif 000015
【図１４】
2018073758.tif 000016
【図１５】
2018073758.tif 000017
【図１６】
2018073758.tif 000018
【図１７】
2018073758.tif 000019
【図１８】
2018073758.tif 000020
【図１９】
2018073758.tif 000021
【図２０】
2018073758.tif 000022
【図２１】
2018073758.tif 000023
【図２２】
2018073758.tif 000024
【図２３】
2018073758.tif 000025
【図２４】
2018073758.tif 000026
【図２５】
2018073758.tif 000027
【図２６】
2018073758.tif 000028